(57)【要約】【課題】電子錠の施錠および解錠に要求されるセキュリティーレベルが異なるにも関わらず、同じ操作で電子錠の施錠および解錠を行うことに対し使用者は煩わしく感じる、という課題があった。【解決手段】外部の通信機器に対して認証情報を送信することにより扉の施解錠を行う携帯端末のアプリケーションプログラムであって、前記扉の施錠時において、前記アプリケーションプログラムがバックグランドで実行されている状態であっても前記通信機器に対して前記認証情報を送信する施錠ステップと、前記扉の解錠時において、前記アプリケーションプログラムがバックグランドで実行されている状態では前記通信機器に対して前記認証情報を送信せず、前記アプリケーションプログラムがフォアグランドで実行されている状態で使用者から解錠指示を受け付けた場合に、前記通信機器に対して前記認証情報を送信する解錠ステップと、を携帯端末に実行させる。【選択図】図２
2017002633.tif 000002
【特許請求の範囲】
【請求項１】
外部の通信機器に対して認証情報を送信することにより扉の施解錠を行う携帯端末のアプリケーションプログラムであって、
前記扉の施錠時において、前記アプリケーションプログラムがバックグランドで実行されている状態であっても前記通信機器に対して前記認証情報を送信する施錠ステップと、
前記扉の解錠時において、前記アプリケーションプログラムがバックグランドで実行されている状態では前記通信機器に対して前記認証情報を送信せず、前記アプリケーションプログラムがフォアグランドで実行されている状態で使用者から解錠指示を受け付けた場合に、前記通信機器に対して前記認証情報を送信する解錠ステップと
を携帯端末に実行させるアプリケーションプログラム。
【請求項２】
前記施錠ステップの実行後に、前記アプリケーションプログラムの実行を終了させる終了ステップを携帯端末に更に実行させる請求項１に記載のアプリケーションプログラム。
【請求項３】
前記解錠ステップの実行後に、前記アプリケーションプログラムをフォアグランドでの実行からバックグランドでの実行へ移行させる移行ステップを携帯端末に更に実行させる請求項１または２に記載のアプリケーションプログラム。
【請求項４】
前記使用者による前記携帯端末の揺動を前記解錠指示として受け付ける受付ステップを携帯端末に更に実行させる請求項１から３のいずれか１項に記載のアプリケーションプログラム。
【請求項５】
前記施錠ステップにおいて、前記使用者が前記扉を通過するときに前記使用者から解錠を継続する継続指示を受け付けた場合には、前記認証情報の送信を行わない請求項１から４のいずれか１項に記載のアプリケーションプログラム。
【請求項６】
前記解錠ステップを実行した後の予め定められた時間の間は、前記施錠ステップを実行しない請求項１から５のいずれか１項に記載の携帯端末のアプリケーションプログラム。
【発明の詳細な説明】
【技術分野】
【０００１】
本発明は、携帯端末のアプリケーションプログラムに関する。
【背景技術】
【０００２】
携帯端末のアプリケーションソフトを用いて暗証番号入力を行い、電子錠を解錠できる電子錠システムが知られている（例えば、特許文献１参照）。
【先行技術文献】
【特許文献】
【０００３】
【特許文献１】特開２０１１−９４２９２
【発明の概要】
【発明が解決しようとする課題】
【０００４】
例えば、マンション等の集合住宅における入口扉に電子錠が設けられている場合において、電子錠の解錠に要求されるセキュリティーレベルは電子錠の施錠よりも高い。このように、電子錠の施錠および解錠に要求されるセキュリティーレベルが異なるにも関わらず、同じ操作で電子錠の施錠および解錠を行うことに対し使用者は煩わしく感じる、あるいはセキュリティー上不十分という課題があった。
【課題を解決するための手段】
【０００５】
本発明の具体的な態様における外部の通信機器に対して認証情報を送信することにより扉の施解錠を行う携帯端末のアプリケーションプログラムは、前記扉の施錠時において、前記アプリケーションプログラムがバックグランドで実行されている状態であっても前記通信機器に対して前記認証情報を送信する施錠ステップと、前記扉の解錠時において、前記アプリケーションプログラムがバックグランドで実行されている状態では前記通信機器に対して前記認証情報を送信せず、前記アプリケーションプログラムがフォアグランドで実行されている状態で使用者から解錠指示を受け付けた場合に、前記通信機器に対して前記認証情報を送信する解錠ステップと、を携帯端末に実行させる。
【０００６】
なお、上記の発明の概要は、本発明の特徴の全てを列挙したものではない。また、これらの特徴群のサブコンビネーションもまた、発明となりうる。
【図面の簡単な説明】
【０００７】
【図１】本実施形態に係る電子施錠システム１０の一例を示す概略図である。
【図２】電子施錠システム１０の機能ブロック図を示す。
【図３】解錠時における認証情報および施錠時における認証情報の一例を示す。
【図４】制御アプリの操作画面の一例を示す。
【図５】ＨＯＭＥ画面の一例を示す。
【図６】住居者が外側１８から内側１９に進入する場合にスマートフォン５０で実行される制御アプリケーションの処理を説明するフロー図である。
【図７】住居者が内側１９から外側１８に外出する場合にスマートフォン５０で実行される制御アプリケーションの処理を説明するフロー図である。
【図８】スマートフォン１５０の機能ブロック図を示す。
【図９】電子鍵データベース１５４の一例を示す。
【図１０】スマートフォン１５０に設定された向きを示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る電子施錠システム１０の一例を示す概略図である。電子施錠システム１０は、例えば、マンションなどの集合住宅に用いられる。電子施錠システム１０は、主な構成要素として扉装置２０と、管理サーバ４０と、スマートフォン５０を備える。なお、図１において、１つの扉装置２０を備える例を示したが、これに限られず、電子施錠システム１０は、複数の扉装置２０を備えてもよい。
【００１０】
扉装置２０は、入口扉２１と、電子錠装置２２と、受信装置２４とを有する。入口扉２１は、例えば、集合住宅のエントランスに設けられ、集合住宅の外側１８と内側１９とを区分する。電子錠装置２２は、電子錠によって入口扉２１の施解錠を行う。
【００１１】
受信装置２４は、電子錠装置２２に接続されて設けられる。受信装置２４は、入口扉２１の外側１８に設置されている。受信装置２４は、スマートフォン５０と近距離無線通信を行い、スマートフォン５０から、扉装置２０の施錠および解錠を認証する認証情報を受信する。扉装置２０において、受信装置２４は、通信機器の一例である。
【００１２】
扉装置２０に設けられた受信装置２４は、スマートフォン５０から認証情報を受信すると、ネットワーク８０を介して管理サーバ４０に当該認証情報を送信する。また、受信装置２４は、予め定められた間隔でラジオ信号を発信するビーコンを含む。受信装置２４に含まれる後述のビーコンは、スマートフォン５０に認証情報を送信させる送信信号を予め定められた領域に発信する。なお、予め定められた範囲は、例えば、入口扉２１を境界線とした外側１８の範囲である。さらに、扉装置２０は、電子錠装置２２に含まれる後述の人感センサを有している。人感センサは、住居者１４が、入口扉２１に向かう動きを検出する。
【００１３】
管理サーバ４０は、扉装置２０の施錠および解錠を管理する。管理サーバ４０は、扉装置２０とネットワーク８０を介して接続されている。なお、ネットワーク８０は、例えば、集合住宅内にて構築された無線ＬＡＮである。
【００１４】
スマートフォン５０は、集合住宅の住居者に使用されている。したがって、住居者は、スマートフォン５０の使用者でもある。スマートフォン５０には、電子施錠システム１０と連携して使用される制御アプリケーションプログラム（以後、制御アプリと称する場合がある）がインストールされている。スマートフォン５０には、電子鍵ＩＤが格納されている。スマートフォン５０は、当該電子鍵ＩＤを、扉装置２０を解錠および施錠するための認証情報として、受信装置２４に送信する。なお、スマートフォン５０は、通信端末の一例である。
【００１５】
図１は、住居者１４が集合住宅に帰宅した状態を示している。図１に示した例において、入口扉２１は、電子錠装置２２によって施錠されている。住居者１４は、スマートフォン５０にインストールされている制御アプリを利用して、入口扉２１の電子錠装置２２を解錠する。より具体的には、住居者は、帰宅して入口扉２１の前で制御アプリを立ち上げて、当該制御アプリをフォアグランドにて実行させる。スマートフォン５０は、制御アプリがフォアグランドで実行されている状態で、住居者１４の解錠指示を受け付ける。スマートフォン５０は、住居者１４の解錠指示を受け付けると、受信装置２４へ解錠するための認証情報を送信する。
【００１６】
扉装置２０は、ネットワーク８０を介して、受信装置２４が受信した認証情報を管理サーバ４０へ送信する。管理サーバ４０は、受信した認証情報を認証した場合に、扉装置２０を解錠する。この一連の処理により、扉装置２０は通過可能となるが、以下の説明においては単に「扉装置２０を解錠する」などと称する場合がある。
【００１７】
スマートフォン５０は、受信装置２４へ認証情報を送信すると、制御アプリをフォアグランドでの実行からバックグランドでの実行に自動的に移行させる。制御アプリがバックグランドで実行されている状態では、スマートフォン５０は、住居者１４の解錠指示を受け付けない。そのため、制御アプリがバックグランドで実行されている状態においては、住居者１４の解錠指示に基づいた認証情報を受信装置２４へ送信しない。
【００１８】
住居者１４は、上述した扉装置２０の解錠操作により電子錠を解錠して、入口扉２１を通過できる。居住者が入口扉を通過後、扉装置２０は、予め設定された時間の経過後に入口扉２１を閉じて電子錠で施錠する。
【００１９】
次に、集合住宅の内側１９の住居者が外出する場合における電子施錠システム１０の動作について説明する。扉装置２０は、住居者の入口扉２１へ向かう動きを検出する人感センサを備える。人感センサは、住居者の入口扉２１に向かう動きを検出すると扉装置２０を解錠する。これにより、住居者は、内側から外側に退出する場合には、スマートフォン５０を操作することなく、扉装置２０を解錠して外出できる。
【００２０】
入口扉２１を通過して、住居者１４の位置に至った後において、スマートフォン５０は、受信装置２４から送信信号を受信する。スマートフォン５０ではバックグランドにて制御アプリが実行されている。スマートフォン５０は、送信信号を受信すると、制御アプリがバックグランドで実行されている状態であっても、当該制御アプリの処理に従い受信装置２４へ施錠するための認証情報を送信する。スマートフォン５０は、当該認証情報を受信装置２４へ送信すると、バックグランドで実行していた制御アプリを終了させる。受信装置２４は、ネットワーク８０を介して、受信した認証情報を管理サーバ４０へ送信する。管理サーバ４０は、認証情報を認証した場合に、扉装置２０の電子錠装置２２を施錠する。
【００２１】
このように、本実施形態において、電子施錠システム１０は、集合住宅に帰宅して扉装置２０を解錠する場合のように高いセキュリティーレベルが要求される場合には、制御アプリをスマートフォン５０のフォアグランドで実行させ、扉装置２０を解錠するための入力操作を待つ。そして、住居者からの解錠指示を受け付けた場合に、管理サーバ４０は、扉装置２０を解錠する。
【００２２】
一方、電子施錠システム１０は、住居者が外出する場合の扉装置２０の解錠といった高いセキュリティーレベルが求められない場合に、施錠指示を待つことなく、自動的に扉装置２０を施錠する。このように、電子施錠システム１０において、高いセキュリティーレベルが求められない場合には、住居者からの施錠指示を待たない。そのため、住居者が外出する場合の扉装置２０の施錠において、スマートフォン５０は、フォアグランドではなくバックグランドで制御アプリを実行する。
【００２３】
図２は、電子施錠システム１０の機能ブロック図を示す。図２において図１と同じ要素には同じ参照番号を付して重複する説明を省略する。電子施錠システム１０は、ネットワーク８０を利用した電子施錠システムであって、扉装置２０と、管理サーバ４０と、スマートフォン５０とを備える。扉装置２０は、入口扉２１と、電子錠装置２２と、受信装置２４とを有する。
【００２４】
電子錠装置２２は、制御部２８と、ネットワーク接続部３０と、駆動部３２と、電子錠部３４と、検出部３６とを含む。制御部２８は、扉装置２０における制御全般を司る。ネットワーク接続部３０は、無線ＬＡＮ等の規格に基づくネットワークインターフェースであり、扉装置２０とネットワーク８０とを接続する。
【００２５】
制御部２８は、受信装置２４がスマートフォン５０から認証情報を受信すると、制御部２８は、ネットワーク接続部３０から、管理サーバ４０へ認証情報を送信する。また、ネットワーク接続部３０が管理サーバ４０から電子錠装置２２を施錠させる施錠信号を受信すると、制御部２８は、駆動部３２に入口扉２１を施錠させる。ネットワーク接続部３０が管理サーバ４０から電子錠装置２２を解錠させる解錠信号を受信すると、制御部２８は、駆動部３２に入口扉２１を解錠させる。さらに制御部２８は、検出部３６の検出により扉装置２０を解錠した場合に、認証情報を送信させる送信信号を受信装置２４から送信させる。
【００２６】
駆動部３２は、入口扉２１に設置された電子錠部３４を駆動して入口扉２１を施錠する。具体的に駆動部３２は、ドアモータを駆動して入口扉２１を閉める。駆動部３２は、電子錠部３４の一例であるロックモータを駆動してデッドボルトを突出させる。これにより、駆動部３２は、入口扉２１を施錠する。
【００２７】
駆動部３２は、入口扉２１に設置された電子錠部３４を駆動して入口扉２１を解錠する。具体的には、駆動部３２は、ロックモータを駆動してデッドボルトを退避させて解錠する。駆動部３２は、ドアモータを駆動して入口扉２１を開く。これにより、駆動部３２は、入口扉２１を解錠でき、住居者は、入口扉２１を通過できる。
【００２８】
検出部３６は、住居者が入口扉２１へ向かう動きを検出する。検出部３６は、例えば、内側１９から住居者が入口扉２１へ向かう動きを検出した場合に、検出信号を制御部２８へ送信する。制御部２８は、検出部３６からの検出信号を受信すると、駆動部３２を駆動させて、電子錠装置２２を解錠させる。これにより、内側から外側に退出する場合には、スマートフォン５０を操作することなく、扉装置２０の電子錠装置２２を解錠して外出できる。なお、検出部３６は、例えば、図１で説明した人感センサである。
【００２９】
受信装置２４は、受信部３７と、発信部３８とを含む。受信部３７は、例えば、Ｂｌｕｅｔｏｏｔｈ（登録商標）の短距離無線通信規格に準拠して、スマートフォン５０から認証情報を受信する。発信部３８は、制御部２８が検出部３６からの検出信号を受信して電子錠装置２２を解錠させた場合に、認証情報を送信させる送信信号を発信する。なお、発信部３８は、例えば、図１で説明したビーコンである。
【００３０】
スマートフォン５０は、制御部５２と、格納部５４と、送受信部５６と、表示部５８と、入力部６０とを備える。制御部５２は、認証情報の送信、および、アプリケーションの実行等を制御する。
【００３１】
ハードディスクドライブ等の不揮発性メモリによって構成される格納部５４には、電子施錠システム１０で使用される制御アプリケーションプログラムと、電子鍵ＩＤ７０とが記録されている。なお、本実施形態において、格納部５４には電子鍵ＩＤ７０として「１２３Ａ４５６Ｂ７８９」が記録されているとして以後の説明を行う。
【００３２】
送受信部５６は、制御アプリの処理に従い、例えば、Ｂｌｕｅｔｏｏｔｈ（登録商標）の短距離無線通信規格に準拠して、格納部５４に記録されている電子鍵ＩＤを含む認証情報を扉装置２０へ送信する。また、送受信部５６は、受信装置２４から送信信号を受信する。
【００３３】
表示部５８は、液晶パネル、有機ＥＬパネル等のフラットディスプレイパネルから構成され、スマートフォン５０によって処理される情報を表示する。入力部６０は、タッチパネルから構成され、表示部５８を覆うようにして設けられる。入力部６０は、文字列の入力や、アイコンの選択、表示画面のスクロール等の住居者によるタッチ操作を受け付けるユーザーインターフェースとして機能する。タッチパネルの駆動方式については、静電容量方式、抵抗膜方式などの何れの駆動方式であってもよい。入力部６０は、住居者のタッチ操作を受け付けて、当該操作に対応付けられた指示を示す情報を制御部５２に送信する。
【００３４】
制御部５２は、送信制御部６２と、アプリケーション実行制御部６４とを有する。送信制御部６２は、使用者の入力指示および送信信号に対応した認証情報を作成する。送信制御部６２は、送受信部５６を介して認証情報を扉装置２０へ送信する。
【００３５】
図３は、解錠するための認証情報および施錠するための認証情報の一例を示す。図３（ａ）は、解錠するための認証情報の一例を示す。図３（ａ）に示すように、解錠するための認証情報は、電子鍵ＩＤ７０である「１２３Ａ４５６Ｂ７８９」と、解錠を示すフラグ１０２の「０」とから構成される。図３（ｂ）は、施錠するための認証情報の一例を示す。図３（ｂ）に示すように、施錠するための認証情報は、電子鍵ＩＤ７０である「１２３Ａ４５６Ｂ７８９」と、施錠を示すフラグ１０４の「１」とから構成される。
【００３６】
住居者のタッチ操作により解錠指示が入力された場合に、送信制御部６２は、図３（ａ）に示した解錠するための認証情報を作成して、扉装置２０に送信する。一方、送受信部５６が、発信部３８から送信信号を受信した場合に、送信制御部６２は、図３（ｂ）に示した施錠するための認証情報を作成して、扉装置２０に送信する。
【００３７】
アプリケーション実行制御部６４は、スマートフォン５０におけるアプリケーションプログラム（以後、アプリと称する場合がある）の実行を制御する。アプリケーション実行制御部６４は、アプリをフォアグランドで実行させるフォアグランド実行制御部６６と、アプリをバックグランドで実行させるバックグランド実行制御部６８とを含む。フォアグランド実行制御部６６は、表示部５８にアプリの実行画面を表示させながら、アプリを実行する。バックグランド実行制御部６８は、表示部５８にアプリの実行画面を表示することなく、当該アプリを実行する。
【００３８】
アプリケーション実行制御部６４は、制御アプリの処理に従い、フォアグランド実行制御部６６で実行されているアプリを、バックグランド実行制御部６８で実行するように移行できる。本実施形態において、送受信部５６が、施錠状態を示す信号を受信した場合に、制御アプリは、フォアグランド実行制御部６６において実行される。そして、住居者からの解錠指示を受け付け、送信制御部６２から解錠するための認証情報が送信されると、制御アプリの実行は、フォアグランド実行制御部６６からバックグランド実行制御部６８に移行される。その後、制御アプリは、バックグランド実行制御部６８にて実行される。
【００３９】
また、アプリケーション実行制御部６４は、制御アプリの処理に従い、実行されているアプリを終了させる。本実施形態において、送受信部５６が発信部３８から送信信号を受信した場合であって、送信制御部６２から施錠するための認証情報が送信されると、アプリケーション実行制御部６４は、制御アプリの実行を終了させる。これにより、制御アプリは自動的に終了されるので、住居者を煩わせることがない。
【００４０】
図４は、制御アプリの操作画面の一例を示す。図４に示した例において、表示部５８には、「扉を解錠します」を示す表示１１２と、「扉を解錠します」を選択したことを示すラジオボタン１１４が表示される。また、「扉を解錠します」表示の下段には、「扉を施錠します」を示す表示１１６と、「扉を解錠します」を選択したことを示すラジオボタン１１８が表示される。図４に示した例においては、ラジオボタン１１４の内側の円が黒色で表示されている。ラジオボタン１１４における内側の円の黒色表示は、その右側に表示されている「扉を解錠します」を選択することを示している。なお、住居者は、ラジオボタン１１８の位置をタップすることで、内側の円の黒色表示をラジオボタン１１４からラジオボタン１１８へ変更できる。
【００４１】
操作画面における「扉を解錠します」表示の下段には、「ＹＥＳ」アイコン１２０と、「ＮＯ」アイコン１２２とが表示される。図４に示した例において、住居者により「ＹＥＳ」アイコン１２０がタップされると、選択されている「扉を解錠します」が実行される。一方、住居者により「ＮＯ」アイコン１２２がタップされても選択されている「扉を解錠します」または「扉を施錠します」を実行しない。アイコン１２０が使用者によってタップされた場合に、送信制御部６２は、解錠するための認証情報を作成して、送受信部５６を介して扉装置２０へ当該認証情報を送信する。
【００４２】
図５は、ＨＯＭＥ画面の一例を示す。図５に示したＨＯＭＥ画面には、複数のアイコン１２４が表示されている。さらに、ＨＯＭＥ画面の上端には、制御アプリがバックグランドで実行されていることを示す鍵表示１２６が表示されている。例えば、制御アプリの実行がフォアグランド実行制御部６６からバックグランド実行制御部６８に移行された場合において、アプリケーション実行制御部６４は、表示部５８に表示させた図４に示した操作画面を消去して、図５に示したＨＯＭＥ画面を表示する。
【００４３】
複数のアイコン１２４の中には、制御アプリを立ち上げる制御アプリアイコン１２８が表示されている。制御アプリがアプリケーション実行制御部で実行されていない場合に、当該アイコン１２８がタップされると、アプリケーション実行制御部６４は、制御アプリを立ち上げる。また、制御アプリがバックグランドで実行されている場合に、当該アイコン１２８がタップされると、アプリケーション実行制御部６４は、制御アプリの実行をフォアグランドに移行する。
【００４４】
図２に戻り、管理サーバ４０は、ネットワーク接続部４２と、制御部４４と、格納部４６とを備える。ネットワーク接続部４２は、無線ＬＡＮ等の規格に基づくネットワークインターフェースであり、管理サーバ４０とネットワーク８０とを接続する。ネットワーク接続部４２は、ネットワーク８０を介して、扉装置２０から認証情報を受信する。また、ネットワーク接続部４２は、制御部４４によって作成された解錠信号および施錠信号を扉装置２０へ送信する。
【００４５】
制御部４４は、受信した認証情報を認証する。制御部４４は、不揮発性のハードディクス等の記録媒体で構成される格納部４６に記録されている電子鍵ＩＤ４８を参照して、受信した認証情報に含まれる電子鍵ＩＤと、格納部４６に記録されている電子鍵ＩＤ４８とが一致するかを判断する。認証情報に含まれる電子鍵ＩＤと記録されている電子鍵ＩＤ４８とが一致した場合に、制御部４４は、受信した認証情報を認証する。制御部４４は、認証情報を認証した場合であって、当該認証情報に含まれるフラグが「０」である場合に、解錠信号を扉装置２０に送信して、電子錠装置２２を解錠させる。また、認証情報に含まれるフラグが「１」である場合に、制御部４４は、施錠信号を扉装置２０に送信して、電子錠装置２２を施錠させる。
【００４６】
一方、受信した電子鍵ＩＤが格納部４６に記録されている電子鍵ＩＤ４８と一致しない場合に、制御部４４は、受信した認証情報を認証しない。この場合に、制御部４４は、受信した認証情報を削除する。
【００４７】
制御部２８、４４、５２は、それぞれＣＰＵ等から構成され、ＣＰＵ内に内蔵されたメモリまたは外部の格納部に記憶された制御プログラムを読み込むことによって上述した処理を実行する。また、これらの制御プログラムは、可搬メディアを介してそれぞれの装置にインストールされてもよく、インターネット等からダウンロードされて、それぞれの装置にインストールされてもよい。
【００４８】
図６は、住居者が外側１８から内側１９に進入する場合にスマートフォン５０で実行される制御アプリケーションによる解錠処理を説明するフロー図である。当該処理は、管理サーバ４０が立ち上げられ、住居者が制御アプリの立ち上げの指示を入力した時点から開始する。
【００４９】
スマートフォン５０のアプリケーション実行制御部６４は、ステップＳ１０２において、格納部５４に格納されている制御アプリを読み出す。アプリケーション実行制御部６４は、ステップＳ１０４において、制御アプリをフォアグランド実行制御部６６で実行させる。フォアグランド実行制御部６６は、制御アプリの処理に従い、表示部５８に、図４に示した表示画面を表示させる。
【００５０】
フォアグランド実行制御部６６は、ステップＳ１０６において、住居者から解錠指示が有ったかを判断する。フォアグランド実行制御部６６は、ラジオボタン１１４が選択され、アイコン１２０がタップされた場合に、使用者からの解錠指示を受け付けて（ステップＳ１０６：ＹＥＳ）、処理をステップＳ１０８へ進める。送信制御部６２は、ステップＳ１０８において、電子錠ＩＤと、解錠を示すフラグ「０」とから構成される解錠するための認証情報を作成して、扉装置２０の受信部３７へ送信する解錠ステップを実行する。
【００５１】
フォアグランド実行制御部６６は、解錠指示がないと判断した場合（ステップＳ１０６：ＮＯ）、処理をステップＳ１１０に進める。フォアグランド実行制御部６６は、ラジオボタン１１８が選択され、アイコン１２０がタップされた場合に、使用者からの施錠指示を受け付けて（ステップＳ１１０：ＹＥＳ）、処理をステップＳ１１２へ進める。送信制御部６２は、ステップＳ１１２において、電子錠ＩＤと、施錠を示すフラグ「１」とから構成される施錠するための認証情報を作成して、扉装置２０の受信部３７へ送信する施錠ステップを実行する。
【００５２】
フォアグランド実行制御部６６は、施錠指示がないと判断した場合（ステップＳ１１０：Ｎｏ）、処理をステップＳ１１４へ進める。ステップＳ１１４において、フォアグランド実行制御部６６は、予め定められた時間が経過したかを判断する。フォアグランド実行制御部６６は、制御アプリをフォアグランド実行部で実行してから予め定められた時間、例えば、１分経過した場合に解錠処理を終了させる。一方、１分経過していない場合には、処理をステップＳ１０６に戻して、住居者から解錠指示を待つ。
【００５３】
フォアグランド実行制御部６６は、ステップＳ１１６において、制御アプリの実行を、バックグランド実行制御部６８に移行する移行ステップを実行する。ステップＳ１１６において、バックグランド実行制御部６８が制御アプリを実行すると、バックグランド実行制御部６８は、表示部５８の表示を図４に示した操作画面から図５に示したＨＯＭＥ画面に切り換えて、図６に示した解錠処理を終了する。なお、住居者が、解錠された入口扉２１を通過した後、予め定められた時間が経過した後、扉装置２０は自動的に施錠される。
【００５４】
なお、住居者は、扉装置２０を施錠する予め定められた時間を設定できてもよい。この場合に、スマートフォン５０は、解錠するための認証情報に時間を示す情報を含ませて、扉装置２０に送信する。扉装置２０は、解錠ステップを実行した後であって、認証情報に含まれる時間の間は扉装置２０を施錠する施錠ステップを実行しない。
【００５５】
図７は、住居者が内側１９から外側１８へ外出する場合にスマートフォン５０で実行される制御アプリによる施錠処理を説明するフロー図である。当該処理は、管理サーバ４０が立ち上げられ、検出部３６によって、住居者が入口扉２１へ向かう動きが検知されて扉装置２０が解錠された時点から開始する。なお、この状態において、制御アプリは、バックグランド実行制御部６８に実行されている。
【００５６】
スマートフォン５０のアプリケーション実行制御部６４は、ステップＳ２０２において、受信装置２４から送信信号を受信したか否かを判断する。送受信部５６が送信信号を受信した場合に（ステップＳ２０２：ＹＥＳ）、処理をステップＳ２０４へ進める。なお、受信装置２４から記号信号を受信しない場合は、記号信号を受信するまで待機する（ステップＳ２０２：ＮＯ）。バックグランド実行制御部６８は、ステップＳ２０４において、電子錠ＩＤと、施錠を示すフラグ「１」とから構成される施錠するための認証情報を作成して、扉装置２０の受信部３７へ送信する施錠ステップを実行する。バックグランド実行制御部６８は、施錠ステップを実行した後のステップＳ２０６において、制御アプリを終了させる終了ステップを実行する。バックグランド実行制御部６８は、制御アプリを終了させて、図７に示した制御アプリによる施錠処理が終了する。
【００５７】
以上説明したように、本実施形態において、要求されるセキュリティーレベルが高い帰宅時における電子錠の解錠は、制御アプリをフォアグランドで実行させるとともに使用者の解錠指示を受け付ける。そして、使用者からの解錠指示を受け付けることで当該電子錠が解錠される。一方、要求されるセキュリティーレベルが低い電子錠の施錠および外出時における電子錠の解錠は、制御アプリをバックグランドで実行させて、使用者の施解錠指示を待つことなく電子錠の施解錠を実行する。これにより、高いセキュリティーレベルが要求される帰宅時の解錠動作については、高いセキュリティーレベルが維持できるとともに、高いセキュリティーレベルが要求されない外出時における電子錠の解錠については、簡易な操作で実行でき、使用者が煩わしさを感じることがない。
【００５８】
また、住居者の帰宅から外出までの一連の動作において、スマートフォン５０は、制御アプリを立ち上げて、制御アプリをフォアグランドで実行させる。スマートフォン５０は、扉装置２０の解錠後に、制御アプリの実行をフォアグランドからバックグランドに自動的に移行させる。このように、スマートフォン５０は、住居者の解錠指示を受け付ける場合にフォアグランドで制御アプリを実行させ、住居者の施錠指示を受け付けない場合には制御アプリの実行をバックグランドに移行させる。これにより、スマートフォン５０の操作として合理的な動作を住居者の手を煩わせることなく実行できる。
【００５９】
スマートフォン５０は、制御アプリをバックグランドで実行させながら、自動的に扉装置２０を施錠するとともに制御アプリを終了させる。これにより、当該制御アプリを終了し忘れることによって、スマートフォンの電力を消耗させることを防止できる。
【００６０】
また、上述したように、制御アプリがフォアグランドで実行されている場合においても、住居者は、施錠指示を入力することによって扉装置２０を施錠できる。扉装置２０の施錠が制御アプリがフォアグランドで実行されている場合にできるので、住居者は、いつでも制御アプリをフォアグランドで実行させて、扉装置２０を施錠できる。
【００６１】
また、以上の実施形態において、扉装置２０とスマートフォン５０との通信をＢｌｕｅｔｏｏｔｈ（登録商標）の近距離無線通信規格に準拠して行う例を示した。しかしながら、扉装置２０とスマートフォン５０との近距離無線通信は、Ｂｌｕｅｔｏｏｔｈ（登録商標）に限られず、ＵＷＢ（Ｕｌｔｒａ  Ｗｉｄｅ  Ｂａｎｄ）、ＺｉｇＢｅｅ（登録商標）、Ｗｉ−Ｆｉ等の近距離無線通信規格に準拠して、扉装置２０とスマートフォン５０とが通信してもよく、ＭＩＦＡＲＥまたはＮＦＣにより通信してもよい。
【００６２】
また、以上の実施形態においては、携帯無線端末装置としてスマートフォン５０を用いた例を示した。しかしながら、これに限られず、スマートフォン５０に代えて、制御アプリがインストール可能なＰＤＡ、タブレット型ＰＣ等を用いてもよい。
【００６３】
また、以上の実施形態において、住居者がスマートフォン５０の制御アプリを立ち上げる例を示した。しかしながら、これに限られず、扉装置２０が施錠されている状態において、発信部３８から制御アプリを立ち上げる信号を発信させてもよい。スマートフォン５０は、当該信号を受信することを条件として制御アプリを自動的に立ち上げるとしてもよい。
【００６４】
また、以上の実施形態において、住居者が外出する場合であって扉装置２０を解錠して通過するときに、予め定められた時間の間は、扉装置２０の解錠を継続する継続指示をスマートフォン５０に入力できてもよい。スマートフォン５０は、当該継続指示を受け付けた場合には、受信装置２４から送信信号を受信しても、予め定められた時間の間は施錠するための認証信号の送信を行わないとしてもよい。これにより、予め定められた時間の間は、扉装置２０を施錠する施錠ステップが実行されないので、住居者は、予め定められた時間の間にゴミ捨て等の一時的な外出を行うことができる。
【００６５】
さらに、他の実施形態について説明する。図８は、他のスマートフォン１５０の機能ブロック図を示す。図８において、図２と同じ要素には同じ参照番号を付して重複する説明を省略する。図８に示したスマートフォン１５０は、検出部１５２をさらに備える点と、格納部５４に電子鍵データベース１５４が格納されている点において、図２に示したスマートフォン５０と異なる。
【００６６】
検出部１５２は、使用者によるスマートフォン１５０の揺動動作を検出する。検出部１５２は、制御アプリの処理に従い、予め定められた揺動動作を検出した場合に、当該揺動動作を使用者からの解錠指示として受け付ける。検出部１５２は、例えば、三軸の加速度センサである。加速度センサは、スマートフォン１５０の向きに対して、予め定められた向きに配されている。そのため、加速度センサは、重力方向に対する加速度センサの向きを検出することで、重力方向に対するスマートフォン１５０の向きを検出できる。
【００６７】
格納部５４には、電子鍵データベース１５４が格納されている。図９は、電子鍵データベース１５４の一例を示す。電子鍵データベース１５４には、電子鍵ＩＤ欄と、姿勢変化パターン欄が設けられている。図９に示した例において、電子鍵ＩＤ欄には、電子鍵ＩＤ「１２３Ａ４５６Ｂ７８９」が記録されている。姿勢変化パターン欄には、予め定められた姿勢変化パターンとして「上下上下」が記録されている。
【００６８】
図１０は、スマートフォン１５０に設定された向きを示す。図１０に示した例において、下方向は重力方向である。制御アプリがフォアグランドにて実行されている場合において、検出部１５２は、使用者のスマートフォン１５０の揺動動作をスマートフォン１５０の姿勢変化として検出する。例えば、検出部１５２は、スマートフォン１５０の姿勢変化を検出し、姿勢変化を示す情報をフォアグランド実行制御部６６に送信する。
【００６９】
フォアグランド実行制御部６６は、電子鍵データベース１５４の姿勢変化パターン欄を参照して、検出部が検出した姿勢変化と、姿勢変化パターン欄に記録されている姿勢変化パターンとを照合する。例えば、検出部１５２が検出した姿勢変化が「上下上下」であった場合に、フォアグランド実行制御部６６は、検出された姿勢変化と姿勢変化パターンとが一致したと判断する。
【００７０】
フォアグランド実行制御部６６は、検出された姿勢変化と記録されている姿勢変化パターンとが一致したと判断した場合に、スマートフォン１５０の揺動動作を解錠指示として受け付ける受付ステップを実行する。受付ステップが実行されると、フォアグランド実行制御部６６は、電子錠ＩＤと、解錠を示すフラグ「０」とから構成される解錠するための認証情報を作成して、受信装置２４へ送信する解錠ステップを実行する。一方、フォアグランド実行制御部６６は、検出された姿勢変化と記録されている姿勢変化パターンとが一致しないと判断した場合、スマートフォン１５０の揺動動作を解錠指示として受け付ける受付ステップを実行しない。
【００７１】
このようにスマートフォン１５０は、使用者によるスマートフォン１５０の揺動動作を解錠指示として受け付ける受付ステップを実行する。これにより、使用者は、簡易な操作で、施錠指示をスマートフォン１５０に入力できる。
【００７２】
以上の実施形態において、制御アプリがバックグランドで実行されている場合において、スマートフォン１５０は、使用者の施錠指示を受け付けることなく、自動的に扉装置２０を施錠する例を示した。しかしながら、制御アプリがバックグランドで実行されている場合における施錠指示の入力として、図９および図１０に示した揺動動作を受け付けるとしてもよい。
【００７３】
解錠指示は、制御アプリの立ち上げ指示の入力と、解錠指示の入力との二つのステップを要する。そのため、揺動動作で施錠指示を入力するとしても、施錠指示は、当該揺動操作という一つのステップで入力できるので、解錠指示よりも簡易な操作で入力できる。なお、制御アプリがバックグランドで実行されている場合における施錠指示の入力は、スマートフォン１５０に設けられている操作ボタンの操作であってもよく、タッチパネルの操作であってもよく、使用者の音声入力であってもよい。
【００７４】
使用者の音声で施錠指示を入力する場合において、スマートフォン１５０は、音声入力アプリケーションを利用して使用者の音声を受け付けてもよい。スマートフォン１５０は、例えば、受け付けた音声が予め施錠指示として登録された音声と一致した場合に、使用者の音声入力を施錠指示の入力として受け付ける受付ステップを実行する。
【００７５】
また、スマートフォン１５０は、受付ステップを実行して扉装置２０を施錠したことを使用者に認識させるために、扉装置２０を施錠したことを示す表示を表示部５８に表示させてもよい。これにより、使用者は、扉装置２０が施錠されたことを容易に確認できる。なお、扉装置２０を施錠したことを示す表示に代えて、または、当該表示とともに、スマートフォン１５０を振動させてもよく、スマートフォン１５０から予め定められた音を出力させてもよい。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７８】
１０  電子施錠システム、１４  住居者、１８  外側、１９  内側、２０  扉装置、２１  入口扉、２２  電子錠装置、２４  受信装置、２８、４４、５２  制御部、３０、４２  ネットワーク接続部、３２  駆動部、３４  電子錠部、３６、１５２  検出部、３７  受信部、３８  発信部、４０  管理サーバ、４６、５４  格納部、４８、７０  電子鍵ＩＤ、５０、１５０  スマートフォン、５６  送受信部、５８  表示部、６０  入力部、６２  送信制御部、６４  プリケーション実行制御部、６６  フォアグランド実行制御部、６８  バックグランド実行制御部、８０  ネットワーク、１０２、１０４  フラグ、１１２、１１６  表示、１１４、１１８  ラジオボタン、１２０、１２２、１２４、１２８  アイコン、１２６  鍵表示、１５４  電子鍵データベース
【図１】
2017002633.tif 000003
【図２】
2017002633.tif 000004
【図３】
2017002633.tif 000005
【図４】
2017002633.tif 000006
【図５】
2017002633.tif 000007
【図６】
2017002633.tif 000008
【図７】
2017002633.tif 000009
【図８】
2017002633.tif 000010
【図９】
2017002633.tif 000011
【図１０】
2017002633.tif 000012